(57)【要約】【課題】リモコン、携帯電話、オーディオ機器などの電子機器において、ジョグダイアルの操作性を改善する。【解決手段】ディスプレイ３上のカーソルの左右方向および上下方向の移動をそれぞれ制御する一対のジョグダイアル６、７を具備している。これらのジョグダイアル６、７は、回転軸が直交するように配設されており、操作者の親指の幅として想定される値（例えば、２０ｍｍ）より狭い間隔で互いに近接している。これにより、カーソルの左右方向および上下方向の移動がそれぞれ別個のジョグダイアル６、７で制御されるため、いちいち制御モードを切り換える必要がない。【選択図】図１
2007041963.tif 000002
【特許請求の範囲】
【請求項１】
ディスプレイ上のカーソルの左右方向および上下方向の移動をそれぞれ制御する一対のジョグダイアルを具備していることを特徴とする電子機器。
【請求項２】
前記一対のジョグダイアルにおけるそれぞれの回転軸は、同一平面上で直交していることを特徴とする請求項１に記載の電子機器。
【請求項３】
前記一対のジョグダイアルにおけるそれぞれの回転軸は、同一平面上に所定の角度で配設されており、
前記一対のジョグダイアルにおけるそれぞれの回転軸が交差する点を鈍角頂点とし、前記一対のジョグダイアルの最も離れているそれぞれの部位を残りの２頂点とする鈍角三角形が形成されていることを特徴とする請求項１に記載の電子機器。
【請求項４】
前記一対のジョグダイアルの最も近接しているそれぞれの部位は、操作者の手指の幅として想定される値より狭い間隔となっていることを特徴とする請求項１乃至３のいずれかに記載の電子機器。
【請求項５】
前記一対のジョグダイアルは、操作者の手指の幅として想定される値より広い間隔でキーから離れていることを特徴とする請求項１乃至４のいずれかに記載の電子機器。
【発明の詳細な説明】
【技術分野】
【０００１】
本発明は、リモコン（リモートコントローラ）、携帯電話、オーディオ機器などの電子機器に関するものである。
【背景技術】
【０００２】
リモコン、携帯電話、オーディオ機器などの電子機器には、ディスプレイ（表示装置）上で文字入力を行うため、ジョグダイアル（ジョグキー）を回転させてディスプレイ上のカーソルを左右方向および上下方向に移動させるものがある。この種の電子機器では、従来、ジョグダイアルをクリックしたり、切換スイッチを押下したりすることにより、左右方向のスクロールが可能な制御モードと上下方向のスクロールが可能な制御モードとを切り換えていた（例えば、特許文献１参照）。
【特許文献１】特開２００２−２１５３１１号公報（段落〔００４４〕〔００４５〕〔００５４〕の欄、図８）
【発明の開示】
【発明が解決しようとする課題】
【０００３】
しかし、これでは、制御モードを切り換えるたびに、ジョグダイアルまたは切換スイッチを操作しなければならず、操作性があまり良くないという不都合があった。
本発明は、こうした不都合を解消することが可能な電子機器を提供することを目的とする。
【課題を解決するための手段】
【０００４】
まず、請求項１に係る電子機器の発明は、ディスプレイ上のカーソルの左右方向および上下方向の移動をそれぞれ制御する一対のジョグダイアルを具備していることを特徴とする。
また、請求項２に係る電子機器の発明は、前記一対のジョグダイアルにおけるそれぞれの回転軸は、同一平面上で直交していることを特徴とする。
また、請求項３に係る電子機器の発明は、前記一対のジョグダイアルにおけるそれぞれの回転軸は、同一平面上に所定の角度で配設されており、前記一対のジョグダイアルにおけるそれぞれの回転軸が交差する点を鈍角頂点とし、前記一対のジョグダイアルの最も離れているそれぞれの部位を残りの２頂点とする鈍角三角形が形成されていることを特徴とする。
また、請求項４に係る電子機器の発明は、前記一対のジョグダイアルの最も近接しているそれぞれの部位は、操作者の手指の幅として想定される値より狭い間隔となっていることを特徴とする。
また、請求項５に係る電子機器の発明は、前記一対のジョグダイアルは、操作者の手指の幅として想定される値より広い間隔でキーから離れていることを特徴とする。
【発明の効果】
【０００５】
本発明によれば、カーソルの左右方向および上下方向の移動がそれぞれ別個のジョグダイアルで制御されるため、いちいち制御モードを切り換える必要がない。その結果、電子機器の操作性を改善することができる。
【発明を実施するための最良の形態】
【０００６】
以下、本発明の実施形態を図面に基づいて説明する。
【０００７】
＜第１の実施形態＞
図１は本発明に係る電子機器の第１の実施形態を示す正面図である。
【０００８】
リモコン１は、図１に示すように、ケーシング２を有している。ケーシング２の操作面には、その上部にディスプレイ３が設けられているとともに、中央部にテンキーその他のキー５が配設されている。また、ケーシング２の操作面には、ディスプレイ３上のカーソルの左右方向の移動を制御するジョグダイアル６が、操作者の親指の幅として想定される値（例えば、２０ｍｍ）より広い間隔でキー５から離れた位置でケーシング２の左縁に回転自在に取り付けられている。さらに、ケーシング２の操作面には、ディスプレイ３上のカーソルの上下方向の移動を制御するジョグダイアル７が、操作者の親指の幅として想定される値（例えば、２０ｍｍ）より広い間隔でキー５から離れた位置でディスプレイ３の真下に回転自在に取り付けられている。そして、ジョグダイアル６は、その回転軸がディスプレイ３の高さ方向（矢印Ａ、Ｂ方向）に一致しており、ジョグダイアル７は、その回転軸がディスプレイ３の幅方向（矢印Ｃ、Ｄ方向）に一致している。そのため、これら一対のジョグダイアル６、７におけるそれぞれの回転軸は、同一平面（操作面）上で直交した状態となっている。さらに、これら一対のジョグダイアル６、７の最も近接しているそれぞれの部位は、操作者の親指の幅として想定される値（例えば、２０ｍｍ）より狭い間隔で互いに近接している。
【０００９】
リモコン１は以上のような構成を有するので、このリモコン１を使用するに当たってディスプレイ３上で文字入力を行う際には、一対のジョグダイアル６、７を適宜操作することにより、ディスプレイ３上でカーソルを上下左右に移動させる。
【００１０】
すなわち、ディスプレイ３上でカーソルを左右方向に移動させるときには、ジョグダイアル６に右手の親指を押し当てて左右方向に動かす。すると、ジョグダイアル６の回転量に対応してカーソルがディスプレイ３上を左右方向に移動する。また、ディスプレイ３上でカーソルを上下方向に移動させるときには、ジョグダイアル７に右手の親指を押し当てて上下方向に動かす。すると、ジョグダイアル７の回転量に対応してカーソルがディスプレイ３上を上下方向に移動する。
【００１１】
このように、カーソルの左右方向および上下方向の移動はそれぞれ別個のジョグダイアル６、７で制御されるため、いちいち制御モードを切り換える必要がない。しかも、ジョグダイアル６、７は、いずれもキー５から十分離れているので、キー５の操作を邪魔することなくジョグダイアル６、７を使うことができる。その結果、リモコン１の操作性を改善することができる。
【００１２】
また、ジョグダイアル６を左右に動かせば、それに応じてカーソルが左右に動き、ジョグダイアル７を上下に動かせば、それに応じてカーソルが上下に動くことから、カーソルの操作方法が感覚的に分かりやすく、誤操作が起きにくい。
【００１３】
さらに、一対のジョグダイアル６、７は、操作者の親指の幅として想定される値より狭い間隔で互いに近接しているので、２個のジョグダイアル６、７に右手の親指を同時に押し当てて矢印Ｅ、Ｆ方向に動かせば、ディスプレイ３上でカーソルを斜め方向へ連続的に移動させることもできる。このときも、キー５の操作を邪魔することなくジョグダイアル６、７を使うことができる。
【００１４】
＜第２の実施形態＞
図２は本発明に係る電子機器の第２の実施形態を示す正面図である。
【００１５】
なお、上述の実施形態においては、一対のジョグダイアル６、７の回転軸が直交する場合について説明したが、図２に示すように、一対のジョグダイアル６、７の回転軸を鈍角（例えば、１３５°）で交差させてもよい。
【００１６】
すなわち、このリモコン１では、図２に示すように、一対のジョグダイアル６、７におけるそれぞれの回転軸が同一平面（操作面）上に所定の角度で配設されており、一対のジョグダイアル６、７におけるそれぞれの回転軸が交差する点を鈍角頂点とし、一対のジョグダイアル６、７の最も離れているそれぞれの部位を残りの２頂点とする鈍角三角形が形成されている。その他の構成については、第１の実施形態と同様であるので、ここではその説明を省略する。
【００１７】
この場合も、ジョグダイアル６、７を単独で操作してディスプレイ３上のカーソルを上下左右に移動させられることに加えて、ジョグダイアル６、７を同時に矢印Ｅ、Ｆ方向に操作してディスプレイ３上のカーソルを斜め方向へ連続的に移動させられるため、操作性に優れる。
【００１８】
＜第３の実施形態＞
図３は本発明に係る電子機器の第３の実施形態を示す正面図である。
なお、上述の実施形態においては、リモコン１を右手で操作する場合について説明したが、図３に示すように、携帯電話１１を左手で操作する場合に本発明を適用することも可能である。この場合、ジョグダイアル６をケーシング２の右縁に取り付ければ、操作性が向上する。
【００１９】
＜第４の実施形態＞
図４は本発明に係る電子機器の第４の実施形態を示す正面図である。
なお、上述の実施形態においては、リモコン１や携帯電話１１について説明したが、図４に示すように、ＤＶＤプレーヤなどのオーディオ機器１２に本発明を適用することも可能である。
【産業上の利用可能性】
【００２０】
本発明は、リモコン、携帯電話、オーディオ機器のほか、ＰＨＳ（簡易型携帯電話）、ＰＤＡ（Personal Digital Assistance）、ノートパソコン、腕時計、デジタルカメラ、ビデオカメラ、ヘッドホンステレオ、デジタルオーディオプレーヤ、ＩＣレコーダ、カーナビゲーションシステムなど様々な電子機器に幅広く適用することができる。
【図面の簡単な説明】
【００２１】
【図１】本発明に係る電子機器の第１の実施形態を示す正面図である。
【図２】本発明に係る電子機器の第２の実施形態を示す正面図である。
【図３】本発明に係る電子機器の第３の実施形態を示す正面図である。
【図４】本発明に係る電子機器の第４の実施形態を示す正面図である。
【符号の説明】
【００２２】
１……リモコン（電子機器）
２……ケーシング
３……ディスプレイ
５……キー
６、７……ジョグダイアル
１１……携帯電話（電子機器）
１２……オーディオ機器（電子機器）
【図１】
2007041963.tif 000003
【図２】
2007041963.tif 000004
【図３】
2007041963.tif 000005
【図４】
2007041963.tif 000006